(57)【要約】【課題】起動高速化のために、電源スイッチをＯＦＦにしても電源を入れたままの状態にするビデオカメラにおいて、撮影可能時間が短くなるという問題がある。【解決手段】電源制御手段６による電源ＯＦＦの制御が行われた際に、ズーム位置を含む撮影パラメータを記憶する撮影パラメータ記憶手段８と、センサ９の検出結果から、手で持って撮影しているか否かを判断する撮像装置状態判定手段１０と、電源制御手段６による電源ＯＮの制御が行われた際に、撮像装置状態判定手段１０の判定結果が、手持ち撮影状態と判断した場合は、ズーム位置を初期値に設定し、手持ち撮影状態でないと判断した場合には、撮影パラメータ記憶手段８に記憶したズーム位置を設定する撮影パラメータ設定手段７と、撮影パラメータ設定手段７で設定したズーム位置にズームレンズを制御するズームレンズ制御手段１１を備える。【選択図】図１
2009267482.tif 000002
【特許請求の範囲】
【請求項１】
レンズと、
被写体の前記レンズを通した光学像を電気信号に変換する撮像手段と、
電源のＯＦＦ／ＯＮを制御する電源制御手段と、
前記電源制御手段による電源ＯＦＦの制御が行われた際に、撮影パラメータを記憶する撮影パラメータ記憶手段と、
装置の保持状態を検出するセンサと、
前記センサの検出結果から、手持ち状態か否かを判断する撮像装置状態判定手段と、
前記電源制御手段による電源ＯＮの制御が行われた際に、前記撮像装置状態判定手段による判定結果に基づき、前記撮影パラメータ記憶手段に記憶した撮影パラメータか、または初期値の撮影パラメータかを設定する撮影パラメータ設定手段と、
前記撮影パラメータ設定手段で設定した撮影パラメータに基づき、前記レンズを制御するレンズ制御手段と、
を備えた撮像装置。
【請求項２】
前記レンズはズームレンズを含む、
前記レンズ制御手段は、前記撮影パラメータ設定手段で設定されたズーム位置に前記ズームレンズを制御する請求項１に記載の撮像装置。
【請求項３】
電源スイッチを含む各種操作を行うＳＷ手段と、
前記ＳＷ手段が一定時間操作されていないことを検知するタイマー手段とを備え、
前記電源制御手段は、前記ＳＷ手段の電源スイッチの状態、または、前記タイマー手段の検知結果から、電源ＯＦＦ／ＯＮを制御する請求項１又は請求項２に記載の撮像装置。
【請求項４】
装置本体を保持するグリップ部を備え、
前記センサは、前記グリップ部に配置された請求項１から請求項３の何れかに記載の撮像装置。
【発明の詳細な説明】
【技術分野】
【０００１】
本発明は、被写体を撮像し、記録メディアに記録する撮像装置に関し、特に、電源スイッチを入れてから、高速に記録メディアに映像を記録可能な状態にする撮像装置に関するものである。
【背景技術】
【０００２】
近年、瞬時に撮影を開始したいとの要望に対して、電源スイッチをオフにしても電源を入れたままの状態にすることで、電源スイッチを入れてから撮影可能な状態になるまでの時間を短縮するビデオカメラが商品化されている。
【０００３】
また、メディアや電池の交換によって、撮影チャンスを逃さないようにするため、特許文献１に開示された技術がある。特許文献１の電子カメラでは、メディアや電池の交換時に、光学ズーム位置等のカメラ情報をＥＥＰＲＯＭに記憶した後に電源をオフする。その後、電源が再投入された時には、ＥＥＰＲＯＭに記憶されたカメラ情報を用いて起動し、電源オフする前と同じ条件で撮影を行うことができる。
【特許文献１】特開２００４−７２２２２号公報
【発明の開示】
【発明が解決しようとする課題】
【０００４】
しかしながら既に商品化された装置では、電源スイッチをＯＦＦにしても電源が切れないので、バッテリーを消費し続ける為、バッテリーの撮影可能時間が短くなるという問題がある。また、電源ＯＦＦする前の状態に復帰する場合に、ズーム位置を戻す処理が、戻す位置によっては、時間がかかる場合があるという問題がある。
【課題を解決するための手段】
【０００５】
上記課題を解決するために本発明の撮像装置は、レンズと、被写体の前記レンズを通した光学像を電気信号に変換する撮像手段と、前記撮像手段で取得した画像を記録メディアに記録する記録手段と、電源のＯＦＦ／ＯＮを制御する電源制御手段と、前記電源制御手段による電源ＯＦＦの制御が行われた際に、撮影パラメータを記憶する撮影パラメータ記憶手段と、装置の保持状態を検出するセンサと、前記センサの検出結果から、手持ち状態か否かを判断する撮像装置状態判定手段と、前記電源制御手段による電源ＯＮの制御が行われた際に、前記撮像装置状態判定手段による判定結果に基づき、前記撮影パラメータ記憶手段に記憶した撮影パラメータか、または初期値の撮影パラメータかを設定する撮影パラメータ設定手段と、前記撮影パラメータ設定手段で設定した撮影パラメータに基づき、前記レンズを制御するレンズ制御手段と、を備える。
【発明の効果】
【０００６】
これにより、電源をＯＦＦにした場合には、電源を完全に切るとともに、電源を再投入した際に、ユーザーが手で持って撮影する場合には、撮影可能状態になるまでに行う処理の中で時間のかかる撮影パラメータを以前の設定に戻す処理を行わずに済み、高速に撮影可能状態とすることができる。
【発明を実施するための最良の形態】
【０００７】
図１は本発明における撮像装置の一実施の形態における構成を示すブロック図である。
【０００８】
撮像手段１は、レンズより入力された被写体を電気信号に変換する。変換された電気信号は、記録手段２に入力される。記録手段２は、入力された電気信号に適切な変換を施し、記録メディア３に記録する。
【０００９】
ＳＷ手段４は、電源スイッチなどのユーザによる操作用に設けられたスイッチに対する操作情報を出力する。出力されたスイッチの情報は、タイマー手段５、電源制御手段６に入力される。タイマー手段５は、入力されたスイッチ情報から、スイッチが操作されていない状態が一定時間以上継続していた場合、タイマー信号を出力する。タイマー信号は、電源制御手段６に入力される。
【００１０】
電源制御手段６は、入力されたスイッチ情報とタイマー信号から、電源スイッチがＯＮからＯＦＦに変化したか、または、タイマー信号が出力された場合、電源をＯＦＦし、電源スイッチがＯＦＦからＯＮに変化した場合、電源をＯＮするように、電源を制御し、電源制御状態を出力する。電源制御状態は、撮影パラメータ設定手段７に入力される。
【００１１】
一方、センサ９は、たとえば、ビデオカメラのグリップ部に配置されたプッシュスイッチの検知信号を出力する。検知信号は、撮像装置状態判定手段１０に入力される。
撮像装置状態判定手段１０は、入力された検知手段から、ユーザーが手で持っているか否かを判断した手持判断信号を出力する。手持判断信号は、撮影パラメータ設定手段７に入力される。
【００１２】
撮影パラメータ設定手段７は、入力された電源制御状態から、電源ＯＦＦになった場合、ズーム位置や、フォーカス情報、ホワイトバランス情報などの撮影パラメータを出力する。撮影パラメータは、撮影パラメータ記憶手段８に入力される。
【００１３】
撮影パラメータ記憶手段８は、入力された撮影パラメータを記憶する。
【００１４】
また、撮影パラメータ設定手段７は、入力された電源状態から、電源ＯＮになった場合、撮影パラメータ記憶手段８に記憶されている撮影パラメータを入力する。
【００１５】
さらに入力された手持ち信号から、ユーザーが手で持っていないと判断した場合には、三脚などで固定撮影している場合があり、画角を固定していることが想定されるため、電源ＯＦＦしたズーム位置に戻すために、撮影パラメータ記憶手段８に記憶されたズーム位置を出力する。また、ユーザーが手で持っていると判断した場合には、撮影シーンは変化していると想定し、電源ＯＮから最速で設定できるズーム位置の値に設定し、出力する。
【００１６】
ズーム位置は、ズームレンズ制御手段１１に入力される。
【００１７】
ズームレンズ制御手段１１は、入力されたズーム位置に従い、ズームレンズを制御する。
【００１８】
次に、図１に示す映像記録装置の動作を説明する。
【００１９】
映像記録装置において、撮像手段１において、レンズより入力された被写体を電気信号に変換し、記録手段２において、適切な変換を施し、記録メディア３に記録する。
【００２０】
ＳＷ制御手段４に設けられた電源スイッチを入れた場合、電源制御手段６により電源が入り、電源制御情報が撮影パラメータ設定手段７に入力される。
【００２１】
撮影パラメータ設定手段７は、センサ９の出力を基にした撮像装置状態判定手段１０でユーザーが手で持っているか否かを判断した結果から、ユーザーが手で持っている場合には、撮影シーンが変わっている場合が多いので、画角が変わっていると判断し、電源ＯＮから最速で設定できるズーム位置の値に設定し、出力する。
【００２２】
一方、ユーザーが手で持っていないと判断した場合には、三脚などで固定して画角が変化しない撮影をしている場合が多いと判断し、電源ＯＦＦした時のズーム位置を設定することで、画角を変化させずに撮影することができる。
【００２３】
本実施の形態では、ズームレンズの制御を例に説明したが、本発明はこれに限定されず、フォーカスレンズの制御や、絞り等のレンズに対する各種制御に対しても、同様に適用することができる。
【００２４】
図２、図３にセンサの配置位置の例を示す。
【００２５】
図２は、センサをビデオカメラのグリップベルト側側面に配置した例である。これは、ユーザーがビデオカメラを手で持つ場合に、必ず押される位置にセンサを配置する例である。
【００２６】
図３は、ビデオカメラの底面にプッシュスイッチを配置した例である。これは図２の例とは反対に、ユーザーが手で持たない場合に、必ず押される位置にセンサを配置する例である。
【００２７】
このように配置することで、ユーザーが手に持っているか否かを確実に判別することができる。
【００２８】
以上のように本実施の形態によれば、デジタルビデオカメラにおいて、バッテリー消費が少なく、かつ、電源スイッチを入れてから撮影可能な状態に高速で遷移でき、さらに三脚などの固定撮影時には、電源スイッチをＯＦＦする前と画角等が変化しない撮影が可能となる。
【産業上の利用可能性】
【００２９】
以上説明したように本発明によれば、ユーザーがビデオカメラを手で持っている場合に、電源スイッチを入れてから高速に撮影可能となる映像記録再生装置を提供でき、バッテリーで駆動するデジタルビデオカメラに対して適用すれば、その実用的効果は大きい。
【図面の簡単な説明】
【００３０】
【図１】本発明の一実施の形態における撮像装置の構成を示すブロック図
【図２】本発明の一実施の形態におけるセンサの配置の例を示す図
【図３】本発明の他の実施の形態におけるセンサの配置の例を示す図
【符号の説明】
【００３１】
１    撮像手段
２    記録手段
３    記録メディア
４    ＳＷ手段
５    タイマー手段
６    電源制御手段
７    撮影パラメータ設定手段
８    撮影パラメータ記憶手段
９    センサ
１０    撮像装置状態判定手段
１１    ズームレンズ制御手段
１２    ズームレンズ
２１    ビデオカメラ  グリップベルト側側面
２２    グリップベルト
２３    ＳＷ配置位置
３１    ビデオカメラ  底面
３２    三脚穴
３３    ＳＷ配置位置
【図１】
2009267482.tif 000003
【図２】
2009267482.tif 000004
【図３】
2009267482.tif 000005